(57)【要約】【課題】入光面の排水性能及び防汚性能が向上した太陽光発電モジュールを実現する。【解決手段】太陽電池３０と、太陽電池３０の上面に設けられている表面部材７０とが備えられた太陽電池ユニット２０であって、表面部材７０の入光面Ｐ２の少なくとも一部が傾斜している。【選択図】図１
2012114109.tif 000002
【特許請求の範囲】
【請求項１】
太陽電池と、上記太陽電池の上面に設けられている表面部材とが備えられた太陽電池ユニットであって、
上記表面部材の表面の少なくとも一部が、上記上面に対して傾斜していることを特徴とする太陽電池ユニット。
【請求項２】
上記表面部材が平面視において長方形であり、
上記表面部材の表面が、上記長方形における対向する２辺に向かって下向きに傾斜していることを特徴とする請求項１に記載の太陽電池ユニット。
【請求項３】
上記対向する２辺の中央部に上記傾斜の尾根線があることを特徴とする請求項２に記載の太陽電池ユニット。
【請求項４】
上記表面部材が平面視において長方形であり、
上記表面部材の表面が、上記長方形における対向する２辺に近づくにつれて下向きに傾斜しており、
上記傾斜している領域の、上記対向する２辺と直交する方向における長さが、上記対向する２辺以外の２辺のうちの一方の辺から他方の辺に至るまで増加していることを特徴とする請求項１に記載の太陽電池ユニット。
【請求項５】
上記対向する２辺の中央部に上記傾斜の尾根線があり、
上記尾根線の高さが、上記一方の辺から、上記他方の辺に至るまで増加していることを特徴とする請求項４に記載の太陽電池ユニット。
【請求項６】
上記傾斜している領域が平面視において三角形であることを特徴とする請求項４又は５に記載の太陽電池ユニット。
【請求項７】
上記表面部材が平面視において長方形であり、
上記表面部材の表面が、上記長方形において対向する一方の辺から、他方の辺に向かって上向きに傾斜していることを特徴とする請求項１に記載の太陽電池ユニット。
【請求項８】
上記傾斜が、上記表面内において一定方向に傾斜していることを特徴とする請求項１に記載の太陽電池ユニット。
【請求項９】
上記表面内に、上記傾斜の尾根線があることを特徴とする請求項１に記載の太陽電池ユニット。
【請求項１０】
上記表面部材は、上記太陽電池の上面に順に設けられる保護部材と傾斜部材とを含み、
上記傾斜部材に傾斜が設けられることにより、上記表面部材が傾斜を有していることを特徴とする請求項１〜９の何れか１項に記載の太陽電池ユニット。
【請求項１１】
請求項１〜１０の何れか１項に記載の太陽電池ユニットに、上記太陽電池及び上記表面部材を囲むフレームがさらに備えられた太陽光発電モジュールであって、
上記表面部材の上記フレーム近傍における終端が、上記フレームよりも上に位置することを特徴とする太陽光発電モジュール。
【発明の詳細な説明】
【技術分野】
【０００１】
本発明は、太陽電池ユニット、及び、太陽電池ユニットにフレームが備えられてなる太陽光発電モジュールに関する。
【背景技術】
【０００２】
太陽光発電モジュールを面積効率よく設置スペースに設置するために、水平に近い角度で傾斜させて太陽光発電モジュールを設置する技術が知られている。
【０００３】
例えば、下記特許文献１には、屋根面に架台を介して複数枚の太陽光発電モジュールが設けられている太陽電池発電装置が記載されている。上記文献では、太陽光発電モジュールと設置面である屋根面との角度が例えば１度〜１０度に設定されている。
【先行技術文献】
【特許文献】
【０００４】
【特許文献１】特開２００１−２９１８８９号公報（公開日：２００１（平成１３）年１０月１９日）
【発明の概要】
【発明が解決しようとする課題】
【０００５】
しかしながら、上記従来技術には雨水等の排水性能が十分ではないとの課題がある。
【０００６】
一般に、太陽光発電モジュールでは、雨水などの水が蒸発したあと、それに含まれる砂塵などが残り、これがしみのような汚れとなって、太陽光発電モジュールの表面に残る場合がある。そして、太陽光発電モジュールの表面が汚れると、太陽光発電モジュールに入射する光量が減少するので、発電効率が低下しやすい。そのため、太陽光発電モジュールでは、排水性能を向上させ、水に起因する汚れを抑制することが望まれている。
【０００７】
これに関連し、上記特許文献１に記載された太陽光発電モジュールでは、太陽光発電モジュールに枠組みされているフレームに溝や穴を設け、排水性能を向上させている。
【０００８】
しかしながら、上記特許文献１に記載の構成では、太陽光発電モジュールの排水性能が十分ではなく、そのため、太陽光発電モジュールの防汚性能が十分ではない。
【０００９】
太陽光発電モジュールに入射する光量の減少を抑制するためには、その入光面である太陽光発電モジュール表面の汚れを抑制する必要がある。具体的には、例えば太陽光発電モジュールの入光面に保護ガラスが設けられている場合には、その保護ガラスの汚れを抑制する必要がある。
【００１０】
上記特許文献１に記載の構成では、太陽光発電モジュールのフレームに穴等が設けられることで、太陽光発電モジュールから排水性能は得られている。しかしながら、入光面の排水性能については特段の考慮がなされていない。そのため、入光面の防汚性能が十分ではない。
【００１１】
そこで本発明は、上記課題を解決するためになされたものであり、その目的は、入光面の排水性能が向上し、引いては、入光面の防汚性能が向上した太陽光発電モジュールを提供することにある。
【課題を解決するための手段】
【００１２】
また、本発明の太陽電池ユニットは、上記課題を解決するために、
太陽電池と、上記太陽電池の上面に設けられている表面部材とが備えられた太陽電池ユニットであって、
上記表面部材の表面の少なくとも一部が、上記上面に対して傾斜していることを特徴とする。
【００１３】
上記の構成によれば、太陽電池ユニットの表面部材の表面に傾斜が設けられている。そのため、太陽電池ユニットの入光面となる上記表面の排水性能が向上し、その結果、入光面の防汚性能が向上した太陽電池ユニットを得ることができる。
【００１４】
また、本発明の太陽電池ユニットは、
上記表面部材が平面視において長方形であり、
上記表面部材の表面が、上記長方形における対向する２辺に向かって下向きに傾斜している構成とすることができる。
【００１５】
上記の構成によれば、雨水等を太陽電池ユニットの対向する２辺に向けて排水することができるので、排水性能の高めることができる。
【００１６】
また、本発明の太陽電池ユニットは、
上記対向する２辺の中央部に上記傾斜の尾根線があることが好ましい。
【００１７】
上記の構成によれば、雨水等を、対向する２辺に対して均等に排水することができるので、排水性能を高めることができる。
【００１８】
また、本発明の太陽電池ユニットは、
上記表面部材が平面視において長方形であり、
上記表面部材の表面が、上記長方形における対向する２辺に近づくにつれて下向きに傾斜しており、
上記傾斜している領域の、上記対向する２辺と直交する方向における長さが、上記対向する２辺以外の２辺のうちの一方の辺から他方の辺に至るまで増加している構成とすることができる。
【００１９】
また、本発明の太陽電池ユニットは、
上記傾斜している領域が平面視において三角形であることが好ましい。
【００２０】
上記の構成によれば、傾斜している領域が、一方の辺から他方の辺に向かうにつれて広がっている。そのため、雨水等を、対向する２辺に向けて排水することに加えて、それと直交する方向に排水することも容易になる。その結果、排水性能をより高めることができる。
【００２１】
また、本発明の太陽電池ユニットは、
上記対向する２辺の中央部に上記傾斜の尾根線があり、
上記尾根線の高さが、上記一方の辺から、上記他方の辺に至るまで増加していることが好ましい。
【００２２】
上記の構成によれば、尾根線の高さが１つの方向に増加している。そのため、尾根線の延伸方向への排水が容易になる。
【００２３】
また、本発明の太陽電池ユニットは、
上記表面部材が平面視において長方形であり、
上記表面部材の表面が、上記長方形において対向する一方の辺から、他方の辺に向かって上向きに傾斜していることが好ましい。
【００２４】
上記の構成によれば、表面が１つの方向に傾斜しているので、雨水等の排水が容易になる。
【００２５】
また、本発明の太陽電池ユニットは、
上記傾斜が、上記表面内において一定方向に傾斜している構成とすることができる。
【００２６】
また、本発明の太陽電池ユニットは、
上記表面内に、上記傾斜の尾根線を設けることができる。
【００２７】
上記の構成によれば、一定方向の傾斜に沿って排水したり、尾根線を挟んで異なる方向に排水したりすることができる。そのため、排水性能を向上させることが容易になる。
【００２８】
また、本発明の太陽電池ユニットは、
上記表面部材は、上記太陽電池の上面に順に設けられる保護部材と傾斜部材とを含み、
上記傾斜部材に傾斜が設けられることにより、上記表面部材が傾斜を有するように構成することができる。
【００２９】
上記の構成によれば、所望の傾斜を有する傾斜部材を保護部材に追加することで、容易に表面に傾斜を設けることができる。
【００３０】
本発明の太陽電池ユニットは、
上記の太陽電池ユニットに、上記太陽電池及び上記表面部材を囲むフレームがさらに備えられた太陽光発電モジュールであって、
上記表面部材の上記フレーム近傍における終端が、上記フレームよりも上に位置する構成とすることが好ましい。
【００３１】
上記の構成によれば、表面部材の終端がフレームよりも、より詳しくは、フレームにフレーム枠が設けられている場合にはそのフレーム枠よりも上に位置する。そのため、雨水等がフレームの内側に残りにくく、排水性能を向上させることができる。
【発明の効果】
【００３２】
本発明の太陽電池ユニットは、以上のように、太陽電池と、上記太陽電池の上面に設けられている表面部材とが備えられた太陽電池ユニットであって、上記表面部材の表面の少なくとも一部が、上記上面に対して傾斜しているものである。
【００３３】
それゆえ、入光面の排水性能が向上し、引いては、入光面の防汚性能が向上するという効果を奏する。
【図面の簡単な説明】
【００３４】
【図１】本発明の実施の形態を示す図であり、（ａ）は太陽光発電モジュールの概略構成を示し、（ｂ）は（ａ）のＡ−Ａ線断面を示している。
【図２】本発明の他の実施の形態を示す図であり、（ａ）は太陽光発電モジュールの概略構成を示し、（ｂ）は（ａ）のＢ−Ｂ線断面を示している。
【図３】本発明の他の実施の形態を示す図であり、（ａ）は太陽光発電モジュールの概略構成を示し、（ｂ）は（ａ）のＣ−Ｃ線断面を示している。
【図４】本発明の他の実施の形態を示す図であり、（ａ）は太陽光発電モジュールの概略構成を示し、（ｂ）は（ａ）のＤ−Ｄ線断面を示している。
【図５】本発明の他の実施の形態を示す図であり、（ａ）は太陽光発電モジュールの概略構成を示し、（ｂ）は（ａ）のＥ−Ｅ線断面を示し、（ｃ）は（ａ）のＦ−Ｆ線断面を示し、（ｄ）は（ａ）のＧ−Ｇ線断面を示している。
【図６】本発明の実施の形態を示す図であり、太陽光発電モジュールの設置例を示す図である。
【発明を実施するための形態】
【００３５】
以下、本発明の実施の形態について、詳細に説明する。
【００３６】
〔実施の形態１〕
本発明の一実施の形態について図１に基づいて説明すると以下の通りである。
【００３７】
図１は、本実施の形態の太陽光発電モジュール１０の概略構成を示す図であり、図１の（ａ）は太陽光発電モジュールの概略構成を示し、図１の（ｂ）は（ａ）のＡ−Ａ線断面を示している。
【００３８】
上記図１に示すように、上記太陽光発電モジュール１０は、主に太陽電池ユニット２０とフレーム９０とから構成されている。
【００３９】
上記太陽電池ユニット２０は、上記フレーム９０の内部に、上記フレーム９０に囲まれるように設けられている。
【００４０】
図１に示す例では、上記太陽光発電モジュール１０は、平面視において長方形である。そして、上記太陽光発電モジュール１０の周囲は、平面視において、フレーム９０の一部であるフレーム枠９２で、額縁状に囲まれている。なお、上記太陽光発電モジュール１０の形状は、上記長方形に限定されるものではなく、種々の変形が可能である。
【００４１】
以下、順に説明する。
【００４２】
（フレーム）
まず、フレーム９０について説明する。
【００４３】
上記フレーム９０は、平面視において長方形の底面と、フレーム枠９２とを有している。上記フレーム枠９２は、上記底面の周囲に、上記底面とのなす角がほぼ直角である方向に、上記底面から延設されている。
【００４４】
これにより、上記フレーム９０は、トレイ状に形成されている。
【００４５】
なおフレームの材料は特には限定されず、例えばステンレスなどの金属材料や、樹脂材料などを適宜用いることができる。
【００４６】
（太陽電池ユニット）
つぎに、太陽電池ユニット２０について説明する。
【００４７】
上記太陽電池ユニット２０は、上述のように、その大部分がフレーム９０の内側に収まるように設けられている。
【００４８】
太陽電池ユニット２０は、太陽電池３０と表面部材７０とを備えている。
【００４９】
上記太陽電池３０は、上記フレーム９０の底面のほぼ全面にわたって配置されている。
【００５０】
（表面部材）
そして、上記太陽電池３０の、上記底面に面する面の逆面に、上記表面部材７０が設けられている。
【００５１】
この表面部材７０は、上記太陽電池３０を保護するための部材である。上記表面部材７０は、光透過性を有する材料で、上記太陽電池３０のほぼ全面を覆うように設けられている。
【００５２】
（保護部材と傾斜部材）
本実施の形態においては、上記表面部材７０が、保護部材（保護板）４０と傾斜部材（スロープ板）５０とで構成されている。具体的には、上記太陽電池３０の上に、保護部材４０と傾斜部材５０とが、当該順に積層されている。
【００５３】
上記保護部材４０は、直方体形状であり、上記太陽電池３０のほぼ全面を覆うように設けられている。また、上記保護部材４０の大きさと、上記フレーム９０のフレーム枠９２で囲まれる部分の大きさとは、ほぼ一致している。
【００５４】
上記傾斜部材５０は、上記保護部材４０の上面に設けられている。上記傾斜部材５０と上記保護部材４０とは、平面視において、ほぼ同様の大きさに形成されている。
【００５５】
上記傾斜部材５０及び上記保護部材４０の材料は、特には限定されない。上記太陽光発電モジュール１０の入光面Ｐ２から上記太陽電池３０への光の入射を阻害しにくいとの観点から、透明材料、例えば、ポリカーボネイト，アクリル系，ポリエチレンテレフタレートなど樹脂材料や、ガラス等を用いることができる。
【００５６】
（傾斜（スロープ））
本実施の形態の太陽光発電モジュール１０では、上記傾斜部材５０が、屋根型に形成されている点が特徴である。
【００５７】
上記傾斜部材５０は、三角柱形状を有している。そして、直方体形状である上記保護部材４０に、上記三角柱形状の傾斜部材５０が、その三角柱の側面と、上記直方体の一面とが接するように重ねられている。
【００５８】
これにより、入光面Ｐ２となる上記太陽電池ユニット２０の表面、すなわち表面部材７０の表面に傾斜が形成されている。
【００５９】
この傾斜は、平面視において長方形の太陽電池ユニット２０の短辺の中央位置に、長辺と平行な方向の尾根線Ｌ１を有している。
【００６０】
図１の（ｂ）に基づいて、傾斜の形状について説明する。上記図において、ｈ１はフレーム枠９２の高さ、ｈ５は保護部材４０の厚さ、ｈ６は傾斜部材５０の厚さ、ｈ７は表面部材７０の厚さ、ｈ８は傾斜の高さ、ｈ１２は表面部材７０のフレーム外段差を示している。
【００６１】
上記フレーム枠高さｈ１は、フレーム９０の底面から、フレーム枠９２の上端までの距離を示している。
【００６２】
本実施の形態では、表面部材７０が、保護部材４０と傾斜部材５０とによって構成されている。そのため、上記表面部材厚さｈ７は、保護部材厚さｈ５と傾斜部材厚さｈ６との和になる。
【００６３】
本実施の形態では、傾斜部材厚さｈ６が連続的に変化することにより、表面部材厚さｈ７が変化する。これによって、太陽電池ユニット２０の表面が山型になっている。
【００６４】
具体的には、傾斜部材５０を平面視した際の長方形における短辺方向（短辺の延伸方向）において、一方の端辺（長辺）から、他方の端辺（長辺）に向けて、傾斜部材厚さｈ６が、短辺方向の中央位置まで増加し、上記中央位置を越えて、減少する。これにより、上記尾根線Ｌ１が、上記短辺方向の中央に位置する。この尾根線Ｌ１上で、上記傾斜高さｈ８が最大になっている。
【００６５】
本実施の形態においては、図１の（ｂ）に示すように、表面部材７０の断面形状は、二等辺三角形となっている。
【００６６】
なお、上記尾根線Ｌ１の位置は、上記短辺方向の中央に限定されるものではない。ただ、太陽光発電モジュール１０が、設置面に対して傾斜した状態で設置面に設置される場合には、その傾斜方向と、上記短辺方向とが直交することが好ましい。言い換えると、傾斜している入光面Ｐ２に向かって、縦方向に上記尾根線Ｌ１が設けられていることが好ましい。
【００６７】
上記の構成によると、上記尾根線Ｌ１を境に、入光面Ｐ２としての斜面に向かって、その両側に排水され易くなる（図１の（ａ）における矢印Ａ１）。その結果、上記入光面Ｐ２に水が残りにくくなる。
【００６８】
（フレーム枠近傍）
また、本実施の形態の太陽光発電モジュール１０では、上記図１の（ｂ）に示すように、上記フレーム枠９２の近傍において、表面部材７０が、上記フレーム枠９２の上端よりも高い位置にある。具体的には、図１の（ｂ）にフレーム外段差ｈ１２として示す高さだけ、上記表面部材７０が、上記フレーム枠９２からはみ出している。
【００６９】
これにより、本実施の形態の太陽光発電モジュール１０では、フレーム９０の内側に水がたまりにくくなる。そのため、入光面Ｐ２の排水性能が向上するので、入光面の防汚性能が向上し易い。
【００７０】
（寸法例）
本実施の形態の太陽光発電モジュール１０では、入光面Ｐ２に設けられている傾斜に関して、その高さ等の各部寸法は特には限定されない。
【００７１】
寸法の一例を示すと、以下の通りである。
【００７２】
フレーム枠高さｈ１＝２０ｍｍ、保護部材厚さｈ５＝５ｍｍ、傾斜部材厚さｈ６＝１７ｍｍ、表面部材厚さｈ７＝２２ｍｍ、傾斜高さｈ８＝５ｍｍ、フレーム外段差ｈ１２＝５ｍｍ。
【００７３】
（尾根線）
また、上記図１に示す例では、上記尾根線Ｌ１が、太陽光発電モジュール１０を平面視したした場合における、短辺の中央に位置している。
【００７４】
ただ、上記尾根線Ｌ１の位置は特に限定されるものではなく、例えば、先に触れたように上記中央位置からずれていても良い。
【００７５】
また、上記図１に示す例では、上記尾根線Ｌ１は、上記短辺に対する長辺と平行な方向に延伸しているが、これに限定されるものではない。上記尾根線Ｌ１の他の配置例（長辺と平行ではない例）については、別途説明する。
【００７６】
（傾斜終端）
なお、上記フレーム外段差ｈ１２が正の値である構成では、傾斜部材５０の終端（端辺）が、上記フレーム枠９２の上端より上にある。そのため、雨水などが、確実に上記フレーム９０の外側に排水される。ただ、上記フレーム外段差ｈ１２は、必ずしも正の値である必要はない。例えば、上記フレーム外段差ｈ１２がゼロである構成、すなわち、上記傾斜部材５０の終端（端辺）と、上記フレーム枠９２の上端とが面一であっても、雨水などの排水を促進することができる。
【００７７】
〔実施の形態２〕
本発明の太陽光発電モジュール１０に関する他の実施の形態について、図２の（ａ）及び（ｂ）に基づいて説明すれば、以下のとおりである。
【００７８】
図２の（ａ）及び（ｂ）は、本実施の形態の太陽光発電モジュール１０を示す図であり、図２の（ａ）は太陽光発電モジュール１０の概略構成を示し、（ｂ）は（ａ）のＢ−Ｂ線断面を示している。
【００７９】
なお、説明の便宜上、上記実施の形態１で説明した図面と同じ機能を有する部材については、同じ符号を付記し、その説明を省略する。
【００８０】
本実施の形態の太陽光発電モジュール１０では、上記表面部材７０が一体品として成型されている点が、上記実施の形態１の太陽光発電モジュール１０と相違する。
【００８１】
すなわち、上記実施の形態１においては、上記表面部材７０は、保護部材４０と傾斜部材５０とによって構成されていた。そして、上記表面部材厚さｈ７は、保護部材厚さｈ５と傾斜部材厚さｈ６との和になっていた。
【００８２】
これに対して本実施の形態においては、表面部材７０が保護部材４０のみで構成されている。
【００８３】
すなわち、上記保護部材４０自身が、上記図２の（ｂ）にその断面を示すような形状に成型されている。
【００８４】
そのため、上記表面部材厚さｈ７と、上記保護部材厚さｈ５とが等しくなる。
【００８５】
上記保護部材４０の材料としては、特に限定されないが、ガラス等の透明材料を用いることができる。
【００８６】
上記の構成によれば、部品点数を削減することができると共に、保護部材４０と傾斜部材５０とを貼り合わせる工程を省略することができる。
【００８７】
また、上記保護部材４０と傾斜部材５０との間に水や異物などが浸入することに起因する太陽光発電モジュール１０の汚れを抑制することができる。
【００８８】
さらに、本実施の形態のように、保護部材４０のみで表面部材７０を構成する場合には、表面部材７０が保護部材４０及び傾斜部材５０で構成される場合に比べて、表面部材７０とフレーム９０との密着性を向上させることができる。
【００８９】
そのため、表面部材７０とフレーム９０との間に水が入り難くなり、太陽光発電モジュール１０の防汚性能や耐候性をより高めることができる。
【００９０】
〔実施の形態３〕
本発明の太陽光発電モジュール１０に関する他の実施の形態について、図３の（ａ）及び（ｂ）に基づいて説明する。
【００９１】
図３の（ａ）及び（ｂ）は、本実施の形態を示す図であり、（ａ）は太陽光発電モジュール１０の概略構成を示し、（ｂ）は（ａ）のＣ−Ｃ線断面を示している。
【００９２】
本実施の形態の太陽光発電モジュール１０と、上記実施の形態１及び２に示した太陽光発電モジュール１０とでは、入光面Ｐ２である表面部材７０の表面に、傾斜が設けられている点は共通である。
【００９３】
ただ、上記実施の形態１及び２では、上記太陽光発電モジュール１０が設置面に対して傾斜して設置された場合において、その入光面Ｐ２を正面からから見た際の横方向（図３の（ａ）の両矢印Ｘ方向）に、傾斜が設けられていた。言い換えると、表面部材厚さｈ７が、上記横方向において変化していた。
【００９４】
これに対して本実施の形態の太陽光発電モジュール１０では、傾斜が上記横方向と直交する方向である縦方向（図３（ａ）の両矢印Ｙ方向）に設けられている。言い換えると、表面部材厚さｈ７が、上記縦方向において変化している。
【００９５】
上記図３の（ｂ）に基づいて説明する。上記図に示すように、本実施の形態の表面部材７０は、実施の形態１と同様に、保護部材４０と傾斜部材５０とが積層されることで構成されている。そのため、保護部材厚さｈ５と傾斜部材厚さｈ６との和が表面部材厚さｈ７となる。
【００９６】
本実施の形態においては、上記傾斜部材５０の厚さｈ６が変化することにより、傾斜が形成されている。
【００９７】
そして、上記傾斜部材厚さｈ６が、上記Ｙ方向において変化している。具体的には、太陽光発電モジュール１０における上辺から下辺にかけて、傾斜部材厚さｈ６が増加している。
【００９８】
ここで、上記上辺及び下辺とは、上記太陽光発電モジュール１０が設置面に傾斜して設置される場合において、上記設置面と接する辺を下辺とし、当該下辺と対向する辺を上辺とする。上記下辺が上記設置面に最も近く、他方上記上辺が上記設置面から最も遠い。
【００９９】
また、本実施の形態の太陽光発電モジュール１０では、上記下辺近傍において、上記表面部材７０の終端が、フレーム枠９２のよりも高い位置にある。言い換えると、図３の（ｂ）に示すフレーム外段差ｈ１２が正の値となっている。
【０１００】
以上のように本実施の形態の太陽光発電モジュール１０では、表面部材７０の厚さｈ７が、上辺から下辺に向かうにつれて増加している。そのため、雨水などが太陽光発電モジュール１０の入光面Ｐ２上を下辺に向かって流れ易くなる（図３の（ａ）の矢印Ａ２）。
【０１０１】
そのため、雨水などが太陽光発電モジュール１０の下端から排水されやすくなるので、太陽光発電モジュール１０の排水性能を向上させることができる。
【０１０２】
また、上記フレーム外段差ｈ１２が正の値となっている。
【０１０３】
そのため、雨水などを確実にフレーム９０外に排水することが容易になる。
【０１０４】
なお、上記保護部材４０や傾斜部材５０等、上記太陽光発電モジュール１０の構成部材の材料は、上記各実施の形態と同様のものを用いることができる。
【０１０５】
〔実施の形態４〕
本発明の太陽光発電モジュール１０に関する他の実施の形態について、図４の（ａ）及び（ｂ）に基づいて説明すれば、以下のとおりである。
【０１０６】
図４の（ａ）及び（ｂ）は、本実施の形態の太陽光発電モジュール１０を示す図であり、図４の（ａ）は太陽光発電モジュール１０の概略構成を示し、（ｂ）は（ａ）のＤ−Ｄ線断面を示している。
【０１０７】
なお、説明の便宜上、上記各実施の形態で説明した図面と同じ機能を有する部材については、同じ符号を付記し、その説明を省略する。
【０１０８】
本実施の形態の太陽光発電モジュール１０では、上記表面部材７０が一体品として成型されている点が、上記実施の形態３の太陽光発電モジュール１０と相違する。また、本実施の形態の太陽光発電モジュール１０は、上記表面部材７０が一体品として成型されている点で、上記実施の形態２の太陽光発電モジュール１０と同様である。
【０１０９】
すなわち、上記実施の形態３においては、上記表面部材７０は、保護部材４０と傾斜部材５０とによって構成されていた。そして、上記表面部材厚さｈ７は、保護部材厚さｈ５と傾斜部材厚さｈ６との和になっていた。
【０１１０】
これに対して本実施の形態においては、表面部材７０が保護部材４０のみで構成されている。
【０１１１】
すなわち、上記保護部材４０自身が、上記図４の（ｂ）にその断面を示すような形状に成型されている。具体的には、太陽光発電モジュール１０における上辺から下辺にかけて、上記Ｙ方向において、保護部材４０の厚さｈ５が増加している。本実施の形態においては、上記保護部材厚さｈ５と上記表面部材厚さｈ７とは等しくなる。
【０１１２】
本実施の形態のように、保護部材４０のみで表面部材７０を構成する場合には、上記実施の形態２と同様に、表面部材７０が保護部材４０及び傾斜部材５０で構成される場合に比べて、表面部材７０とフレーム９０との密着性を向上させることができる。
【０１１３】
そのため、表面部材７０とフレーム９０との間に水が入り難くなり、太陽光発電モジュール１０の耐候性をより高めることができる。
【０１１４】
また、本実施の形態の太陽光発電モジュール１０においても、上記実施の形態３の太陽光発電モジュール１０と同様に、上記下辺近傍において、上記表面部材７０の終端が、フレーム枠９２のよりも高い位置にある。言い換えると、図４の（ｂ）に示すフレーム外段差ｈ１２が正の値となっている。
【０１１５】
そのため、雨水などを確実にフレーム９０外に排水することが容易になる。
【０１１６】
〔実施の形態５〕
本発明の太陽光発電モジュール１０に関する他の実施の形態について、図５の（ａ）から（ｄ）に基づいて説明する。
【０１１７】
図５の（ａ）から（ｄ）は、本実施の形態を示す図であり、（ａ）は太陽光発電モジュール１０の概略構成を示し、（ｂ）は（ａ）のＥ−Ｅ線断面を示し、（ｃ）は（ａ）のＦ−Ｆ線断面を示し、（ｄ）は（ａ）のＧ−Ｇ線断面を示している。
【０１１８】
本実施の形態の太陽光発電モジュール１０と、上記実施の形態１に示した太陽光発電モジュール１０とでは、入光面Ｐ２である表面部材７０の表面に、傾斜が設けられている点は共通である。
【０１１９】
ただ、上記実施の形態１では、上記太陽光発電モジュール１０が設置面に対して傾斜して設置された場合において、その入光面Ｐ２を正面からから見た際の縦方向（図１の（ａ）の両矢印Ｙ方向）において、傾斜の形状は変化しない。
【０１２０】
言い換えると、上記実施の形態１では、表面部材７０の横方向（図１の（ａ）の両矢印Ｘ方向）での断面形状は、上記縦方向の何れの箇所においても同一であった。
【０１２１】
これに対して、本実施の形態の太陽光発電モジュール１０では、上記表面部材７０の形状が、上記縦方向において変化してい点が特徴である。以下、具体的に説明する。
【０１２２】
（傾斜部材）
上記図５の（ａ）に示すように、本実施の形態の太陽光発電モジュール１０では、平面視において三角形状を有する傾斜部材５０が、保護部材４０の上に設けられている。
【０１２３】
上記傾斜部材５０は、三角錐形状を有している。そして、三角錐の１つの面の全面が、上記保護部材４０の上面に接するように、上記傾斜部材５０は上記保護部材４０の上に設けられている。
【０１２４】
詳しくは、上記三角錐において、上記保護部材４０と接する面を底面とした場合、当該底面の１つの辺（底辺）は、上記太陽光発電モジュール１０の上記下辺のほぼ全体と接している。
【０１２５】
一方、上記底辺と対向する頂点は、上記太陽光発電モジュール１０の上記上辺と、当該上辺の中央位置で接している。
【０１２６】
以上のように、本実施の形態における上記傾斜部材５０は、平面視において二等辺三角形を有している。
【０１２７】
（尾根線位置）
上記傾斜部材５０における上記尾根線Ｌ１は、上記図５の（ａ）に示すように、太陽光発電モジュール１０の横方向（Ｙ方向）における中央位置に、上記縦方向（Ｘ方向）に平行に形成されている。
【０１２８】
（尾根線高さ）
そして、尾根線Ｌ１の高さは、上記上辺から上記下辺にかけて、単調に増加している。
【０１２９】
これは、上記図５の（ｂ）に示すように、上記傾斜部材厚さｈ６が上記上辺から上記下辺にかけて、単調に増加しているためである。
【０１３０】
また、上記傾斜部材５０は、上記下近傍において、上記フレーム枠９２から、フレーム外段差ｈ１２で示す高さだけはみ出している。
【０１３１】
（断面形状）
つぎに、上記傾斜部材５０の上記Ｘ方向での断面形状について説明する。
【０１３２】
上記図５の（ｃ）及び（ｄ）に示すように、上記断面は三角形状となっている。より詳しくは、上記尾根線Ｌ１上の点を頂点とした二等辺三角形となっている。
【０１３３】
そして、本実施の形態の傾斜部材５０では、断面の三角形の大きさが、上記Ｙ方向において異なっている。詳しくは、上記上辺から上記下辺にかけて、二等辺三角形の形状を保ったまま、大きくなっている。
【０１３４】
以上の様に、本実施の形態の傾斜部材５０は、太陽光発電モジュール１０の上辺から下辺に行くにしたがって、その幅が広くなると共に、尾根の高さも高くなっている。
【０１３５】
以上の構成により、本実施の形態の太陽光発電モジュール１０は、雨水などが太陽光発電モジュール１０の両端に排水されやすい。すなわち、上記図５の（ｃ）及び（ｄ）において矢印Ａ４・Ａ５で示すように、上記尾根線Ｌ１を挟んで、その両側に雨水などが排水され易い。
【０１３６】
さらに、本実施の形態の太陽光発電モジュール１０では、傾斜部材５０の幅が下に向かって広がると共に、その高さが高くなっている。そのため、図５の（ａ）において矢印Ａ３で示す方向に、排水されやすくなる。
【０１３７】
以上より、本実施の形態の太陽光発電モジュール１０、より良好な排水性能及び防汚性能を得ることができる。
【０１３８】
なお、図５に基づく説明では、表面部材７０が、保護部材４０と傾斜部材５０とで構成されている例について説明した。ただ、本実施の形態は上記の構成に限定されるものではなく、例えば、上記保護部材４０と上記傾斜部材５０とを一体として成型することもできる。
【０１３９】
（設置例）
つぎに、図６に基づいて太陽光発電モジュール１０の設置例を説明する。
【０１４０】
図６は、本実施の形態の太陽光発電モジュール１０の設置例を示す図である。図６では、家屋１００の屋根１１０に太陽光発電モジュール１０が設置されている。ここでは、傾斜した上記屋根１１０の表面が設置面Ｐ１となっている。そして、雨水などは、矢印Ａ７で示す方向に流れる。
【０１４１】
図６に示すように、複数個の太陽光発電モジュール１０が設置される場合、本実施の形態の太陽光発電モジュール１０では、矢印Ａ６で示すように、太陽光発電モジュール１０の両端近傍を水が流れ易くなる。
【０１４２】
すなわち、太陽光発電モジュール１０を屋根などに敷き詰めて配置する場合に、雨水などの流れが表面に設けられた傾斜により制御される。そのため、下流に配置された太陽光発電モジュール１０が汚れにくくなる。また仮に汚れた場合であっても、汚れる場所が限定される。
【０１４３】
以上のように、太陽光発電モジュール１０の表面に傾斜が形成されていると、個々の太陽光発電モジュール１０の排水性能が高まる。また、太陽光発電モジュール１０が複数個配置、特には縦方向に複数個配置された構成において、排水性能及び防汚性能を高めることができる。
【０１４４】
（表面コーティング等）
入光面の防汚性能をより向上させるとの観点から、上記各実施の形態において、その入光面に撥水性を付与することができる。
【０１４５】
具体的には、例えば、珪素やフッ素を含んだコーティング剤（シリコン系化合物やテフロン（登録商標）系化合物などの撥水性化合物等）を入光面にコーティングすることが考えられる。
【０１４６】
または、上記撥水性化合物が含有された材料で、上記傾斜部材や保護部材を成型することにより、入光面に撥水性を付与することもできる。
【０１４７】
または、樹脂自身が珪素やフッ素を含む（例えば、珪素やフッ素で修飾されている等）ことにより撥水性を有する樹脂で、上記傾斜部材や保護部材を成型することもできる。これにより、容易に上記入光面に撥水性を付与することができる。
【０１４８】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１４９】
本発明の太陽電池ユニットは、排水性能及び防汚性能が向上しているので、屋外に設置される太陽光発電モジュールに好適に利用することができる。
【符号の説明】
【０１５０】
１０    太陽光発電モジュール
２０    太陽電池ユニット
３０    太陽電池
４０    保護部材
５０    傾斜部材
７０    表面部材
９０    フレーム
９２    フレーム枠
１００    家屋
１１０    屋根
ｈ１    フレーム枠高さ
ｈ５    保護部材厚さ
ｈ６    傾斜部材厚さ
ｈ７    表面部材厚さ
ｈ８    傾斜高さ
ｈ１２  フレーム外段差
Ｐ１    設置面
Ｐ２    入光面
Ｌ１    尾根線
【図１】
2012114109.tif 000003
【図２】
2012114109.tif 000004
【図３】
2012114109.tif 000005
【図４】
2012114109.tif 000006
【図５】
2012114109.tif 000007
【図６】
2012114109.tif 000008